(57)【要約】      （修正有）【課題】インターネットサービスを活用する際、インターネットサービスの公開者が所有するサーバ側に利用者の個人情報を保存することなくサービスを利用することができる環境を提供する。【解決手段】利用者自身がクライアントPC側で作製したデータベースを個人情報送信部の実行によって、クライアントPC側で読み込み後、個人情報送信部へ接続する。公開者サーバ側の個人情報受信部はクライアントPC側での表示と同時に待受部が待機して、クライアント個人情報発信部からの情報送信を待つ。利用者はクライアントPC側で個人情報送信部の情報発信機能を実行して、クライアント受信部に個人情報を送信することができる。送信部と受信部の実行によって起こる個人情報のやり取りは、すべてクライアントPC内で行われることになる。【選択図】図２
2006285797.tif 000002
【特許請求の範囲】
【請求項１】
データベース連携型インターネットサービスにおいて、個人が公開を望まない情報を一定の書式で集めたファイル（以下、データベース）をネットワーク網に接続したローカルコンピュータ（以下、クライアントPC）内でインターネットアプリケーション（以下、個人情報受信部）に渡すことができるプログラム(以下、個人情報送信部)によって、インターネットアプリケーションの公開者(以下、公開者)が提供するサービスの利用者(以下、利用者)は利用者以外が所有するデータベースに利用者の個人情報を保存することなく公開者が提供するサービスを利用することができることを特徴とする個人情報保護方法を利用したサービスの方法。
【請求項２】
公開者が提供する技術以外の方法によっても利用者は個人情報を自由に編集できるデータベースであることを特徴とした請求項１記載の個人情報保護方法を利用したサービスの方法。
【請求項３】
利用者が所有する個人情報送信部が個人情報読込部ならびにアプリケーションのライセンス情報と個人情報の発信部とからなる少なくとも1種類以上のアプリケーションプログラムであることを特徴とした請求項１記載の個人情報保護方法を利用したサービスの方法。
【請求項４】
公開者が提供する個人情報受信部が個人情報の待受部、検索部、修正部、クライアントPCへの保存部、クライアントPC内で別のHTMLファイルへの送信部からなる少なくとも1種類以上のアプリケーションプログラムであることを特徴とした請求項１記載の個人情報保護方法を利用したサービスの方法。
【発明の詳細な説明】
【技術分野】
【０００１】
本発明はデータベース連携型インターネットサービスにおいて、個人が公開を望まない情報の保護を実現する方法に関するものである。
【背景技術】
【０００２】
従来ASP（Application  Service  Provider）は、大企業が大規模なデータベースを構築し、企業内のあらゆる業務を一括管理、運営する方法を提供するために始まったサービスといえる。これらは、近年の企業内端末数の増加によって生じるシステム導入や、アップグレード、保守管理を含めたトータルコストの削減を目的としている。
【０００３】
このようなASPにおいて得意先の住所や、個人の画像を扱う場合には、CGI(common gateway interface)技術を用いてブラウザから要求されたプログラムをサーバ側で実行し，サーバ側に搭載したデータベースとの連携処理などによって、その実行結果をクライアントPC側に返す仕組みを利用する。この場合、サーバ側に搭載したデータベースに送信されるこれらの個人情報を保護するために、サーバに高度なセキュリティーシステムが必要なだけでなく、情報発信のみを目的とした、たとえばウェブサイトの構築と比較してシステム全体が大掛かりになる。このように、ASPでは個人情報の管理に要する経済的負担や、個人情報漏洩に対するリスク負担などの公開者の負担は大きい。たとえばこのようなASPにおいて公開者が本発明を利用することで、公開者が所有するサーバ側に個人情報を保存することなく個人情報を活用したインターネットサービスを利用者の利益を損なうことなく提供することができる環境をサーバ側に設置することなく安価に構築することが可能になり、公開者の負担を大きく軽減することができる。
【発明の開示】
【発明が解決しようとする課題】
【０００４】
本発明は、請求項１記載のインターネットサービスを請求項１記載の利用者が活用する際、利用者以外が所有する場所、たとえばインターネットサービスの公開者が所有するサーバ側に利用者に関連する個人情報を保存することなく個人情報を活用したサービスを利用することができる環境を提供する方法を提供するものである。
【課題を解決するための手段】
【０００５】
本発明において、請求項１記載の個人が公開を望まない情報とは個人の関係者の情報や、法人の商品名、仕様、価格、開発に必要な情報、著作物などのように、意図に反して漏洩することによって、個人や、法人の利益が損なわれる可能性がある情報のことを示し、個人や、法人が公開したいと願う情報とライセンスの認証に必要な情報は含まれない。たとえば、利用者は公開者との契約によって少なくとも１以上のライセンス認証情報を得ることができ、インターネットサービスを公開するサイトに接続することができる。請求項2記載のデータベースは、公開者が決めた書式に従って利用者自身がクライアントPC側で作製する。このような情報を請求項3記載の個人情報送信部の実行によって、そのデータベース内の情報を個人情報読込部がクライアントPC側で読み込み後、個人情報の発信部が待機して、公開者が保存する請求項4記載の個人情報送信部へ接続する。請求項4記載の個人情報受信部はクライアントPC側での表示と同時に待受部が待機して、請求項3記載の個人情報発信部からの情報送信を待つ。利用者は自分の意思で、請求項3記載の個人情報送信部の情報発信機能を実行して、請求項4記載の受信部に個人情報を送信することができる（図4）。以上のように、利用者は公開者から供給された請求項3記載の個人情報送信部を請求項4記載の個人情報受信部に接続することによって、一般公開されたインターネットサービス画面に利用者にしか見ることが出来ない画面を作成することができる。送信部と受信部の実行によって起こる個人情報のやり取りは、すべてクライアントPC内で行われることになり、公開者が提供するインターネットサービスを安心して活用することが可能になるだけでなく、個人情報の閲覧、検索、修正、クライアントPCへの保存の機能を活用すればより、効率的に個人情報をも管理することが可能である。
【発明の効果】
【０００６】
従来、のCGI技術を利用したASPなどにサービスに、本発明を利用すれば、利用者はライセンスの認証の必要な最小限の個人情報を登録すればよいことになる。このことによって利用者の登録手続きを軽減し、公開者の個人情報管理に関する負担を軽減することができる。また、従来は、個人が、他人の個人情報をウェブサーバ内に大量に保存することは倫理的にも問題があり、このような情報をインターネットアプリケーションで扱うことは困難であったが、本発明を利用すれば、年賀状印刷や、成績管理のような非常に個人的な情報までも、インターネットアプリケーションでサービス提供できるようになり、新しいビジネスの形態を創出することが可能になる。
【発明を実施するための最良の形態】
【０００７】
図1は従来のASPサービスにおける情報の流れを示した例の説明図である。個人情報がサーバとクライアントの双方で送受信される。一方で、図２は請求項1記載のサービスにおける個人情報の流れを示した例の説明図である。個人情報がクライアントPCから外に出ることなくインターネットサービスを安心して活用することができる。図3に示す請求項3記載の個人情報送信部の一例は、たとえば、ＣＤ-ＲＯＭなどのような保存媒体に保存して販売することや、公開者のwebサイトからダウンロードすることが可能である。好ましくはパスワードなどの基本認証機能を持つ、いわゆる携帯型フラッシュメモリなどの保存媒体に保存して販売することもできる。利用者は購入したフラッシュメモリ内に保存された請求項3記載の個人情報送信部を実行し、図3に示す請求項3記載の発信部の機能を使って図4に示す請求項4記載の個人情報待受部に接続することができる。利用者は、図4に示す請求項4記載の個人情報検索部、修正部、クライアントPCへの保存部、クライアントPC内で別のHTMLファイルへの送信部と公開者の提供するインターネットアプリケーションをあわせてさまざまなサービスに活用することができる。
【実施例】
【０００８】
請求項2記載のデータベースは、たとえば、用途に応じてカンマやタブで区切られたデータや、書式のないテキストデータを活用することができる。
請求項3記載の個人情報送信部の読込部は次のコードによって機能する。オブジェクト.onLoad = function(LoadSuccess) {  if (LoadSuccess) {  オブジェクトに個人情報が読み込まれたら行う動作;  }  };  オブジェクト.load("個人情報のファイルパス");
請求項3記載のアプリケーションのライセンス情報は好ましくは暗号化することで、ライセンス情報の漏洩を防ぐことができる。もしくはこのライセンス情報のみを従来のCGIなどのような技術を使って、公開者のサーバに設置したデータベースに保存しておくことも有効である。請求項3記載の個人情報発信部は次のコードによって機能する。オブジェクト.send(コネクション名,個人情報);請求項4記載の個人情報受信部の待受部は次のコードによって機能する。オブジェクト = function(個人情報) {  オブジェクトに個人情報が読み込まれたら行う動作  };  オブジェクト.allowDomain = function(待受) {  待ち受けに必要な情報  };  オブジェクト.connect("コネクション名");請求項4記載の検索部は読み込んだ個人情報を配列に代入することで機能する。請求項4記載のクライアントPCへの保存部は次のコードによって機能する。オブジェクト.write(個人情報);  オブジェクト.execCommand("SaveAs",false,ファイルパス);
【産業上の利用可能性】
【０００９】
アプリケーションプログラムを提供する方法には、クライアントPCにプログラムをインストールする方法とASPと呼ばれる方法がある。ASPはアプリケーションサービスプロバイダーの頭文字をとったもので明確な日本語訳はない。これは、従来クライアントPC側にインストールしていたアプリケーションソフトをネットワーク網に接続したサーバ側にインストールして公開し、そこへ接続するクライアントにサービスを提供する目的を持つものの総称を言う。近年、その運用効率の高さからASPが頻繁に使われるようになってきた。ASPが提供するサービスの多くは、閲覧のみが可能な情報閲覧サービスではなく、何らかの機能を提供する機能活用サービスが一般的であり、個人的な情報を扱う場合も多い。本発明はたとえば、企業において内外に発送する文書や宛名の印刷支援事業などで活用することができる。また、商品カタログの閲覧する際に利用者の全身写真や顔写真と商品とを照合して、より具体的に商品価値を確認するようなインターネットサービスを公開する商品販売業者や、映画や演劇などの娯楽を提供し、そのキャラクターやロゴを付加価値とした商品展開をする際に、たとえばキャラクター画像などの価値が付加された便箋や封筒に利用者に関連するあて先や差出人などの個人情報をあわせた印刷支援業務を展開する娯楽興行会社や、あるいは試験問題を公開して解答を記録できるインターネットサービスを提供している学習塾などのように利用分野は多岐にわたる。
【００１０】
本発明におけるASPやCGI、アプリケーションソフトはプログラムと読み替えることができ、あるいはネットワーク網はインターネットやLANなどに読み替えることができる。これらの用語は本発明の実施例の一形態を示しているのみでこれらの用語が本発明を制限するものではない。
【図面の簡単な説明】
【００１１】
【図１】従来のサーバ利用の関係を示した説明図である。
【図２】本発明におけるサーバ、クライアントそして個人情報の流れを示した説明図である。
【図３】本発明における情報送信部のクライアント画面の一例を示した図である。
【図４】本発明における情報受信部のクライアント画面の一例を示した図である。
【符号の説明】
【００１２】
図4-01        実行された情報送信部
図4-02        情報受信部の待受部
図4-03        情報受信部の検索部
図4-04        情報受信部の表示部、修正部、保存部、送信部
【図１】
2006285797.tif 000003
【図２】
2006285797.tif 000004
【図３】
2006285797.tif 000005
【図４】
2006285797.tif 000006